(57)【特許請求の範囲】
【請求項１】
手首から先の部分が収納される手袋本体と、上記手袋本体内の手挿入用の開口部に一体的に設けられたリストバンドとを含む医療介護用手袋において、
上記手袋本体は、掌側に配置される第１保形部材と、甲側に配置される第２保形部材とが対向的に配置されることにより、上記第１および第２保形部材の間に手が収納される空間が形成されており、
上記第１保形部材および上記第２保形部材は、それらが対向する面が凹まされたほぼ同一のドーム状に形成されているとともに、形状保持性・衝撃吸収性を有する発泡体からなることにより、
上記第１保形部材と上記第２保形部材との面間距離が一定の距離に保たれていることを特徴とする医療介護用手袋。
【請求項２】
上記第１保形部材と上記第２保形部材の対向面には、櫛歯状の凸部が形成されており、上記第１保形部材側の凸部と、上記第２保形部材側の凸部とが互いに突き合わせられていることを特徴とする請求項１に記載の医療介護用手袋。
【請求項３】
上記第１保形部材と上記第２保形部材の面間距離が３０ｍｍ〜１２０ｍｍであることを特徴とする請求項１ないし２のいずれか１項に記載の医療介護用手袋。
【請求項４】
上記第１保形部材および上記第２保形部材は、少なくとも２以上の性質の異なる材質を積層したものからなることを特徴とする請求項１ないし３のいずれか１項に記載の医療介護用手袋。
【請求項５】
上記第１保形部材と上記第２保形部材との間には、上記手袋本体内の手の様子を観察するための視認部が設けられていることを特徴とする請求項１ないし４のいずれか１項に記載の医療介護用手袋。
【請求項６】
上記視認部は、通気性メッシュシートからなることを特徴とする請求項５に記載の医療介護用手袋。
【請求項７】
上記手袋本体には、上記第１保形部材および上記第２保形部材の間隔を維持して、上記視認部から上記手袋本体の内部を確認できるようにするための保形手段が設けられていることを特徴とする請求項５または６に記載の医療介護用手袋。
【請求項８】
上記視認部には、開閉手段が設けられていることを特徴とする請求項５，６または７に記載の医療介護用手袋。
【発明の詳細な説明】
【技術分野】
【０００１】
本発明は、認知症患者や要介護者、要看護者などの手を保護するための医療介護用手袋に関し、さらに詳しくいえば、被装着者に対する使用時の不快感を低減し、さらにはその装着状態を容易に観察できる医療介護用手袋に関する。
【背景技術】
【０００２】
認知症患者や要介護者、意識レベルの低い患者などは、病状等に応じて点滴チューブやオムツなどが装着されることが多いが、これらは使用者にとってとても不快で煩わしさを覚えやすいため、寝ているときなど無意識的に取り外そうとしてしまうことがある。
【０００３】
そこで、このような行為を防止する方法の一例として、例えば特許文献１に記載されている医療介護用手袋がある。この医療介護用手袋は、手全体を覆い隠すミトン状の手袋を備え、手首が差し込まれる開口部に設けられたベルトによって手首を締め付けることにより、手袋から手が抜け落ちないようになっている。
【０００４】
この種の医療介護用手袋は、手袋全体が通気性を有するメッシュ素材によって構成されており、患者への不快感をできる限り減らすように工夫されている。しかしながら、それでも不快感が収まらない場合、患者はストレスによって手を強引にばたつかせたり、暴れたりして、自ら手をベッドフレームや壁にぶつけて怪我を負ったり、周囲にいる人を打って危害を加えてしまうおそれがあった。
【０００５】
そこで、怪我を負ったり危害を加えないようにするための医療介護用手袋も提供されている。例えば特許文献２に記載されているように、この医療介護用手袋は、手袋本体の内部の掌側に発泡ウレタンなどからなるクッション部材が設けられており、手をぶつけた衝撃を吸収できるようになっている。また、クッション部材を掌側に配置したことにより、患者が手袋越しに物を掴めないようにもなっている。
【０００６】
しかしながら、この特許文献２に記載の医療介護用手袋にも次のような問題があった。すなわち、この種の医療介護用手袋は、固定ベルトを手首に強固に固定しているわけではないため、暴れたりした拍子に手袋本体が手首に沿って回転して、上下逆位置になってしまうことがあった。
【０００７】
手袋の掌側と甲側との位置が逆転した場合、手の甲側の比較的柔軟で薄手な布製シートが掌側にくるため、被装着者が手によってシートを介して物を掴むことができ、手袋本来の機能を果たさなくなってしまうことがあった。
【０００８】
手袋の掌側と甲側の位置の逆転を防止するためには、固定ベルトを手首に強固に締め付ければよいが、固定ベルトで手首を緊縛すると、血流を妨げたり被装着者に痛みを伴うおそれがあり、好ましくない。
【０００９】
【特許文献１】特開２００１−７３２０９号公報
【特許文献２】特開２００６−５２４９２号公報
【発明の開示】
【発明が解決しようとする課題】
【００１０】
そこで、本発明は、上述した課題を解決するため、手袋の位置が掌側と甲側とが逆転しても手で物を掴むことができず、かつ、被装着者に対する不快感を低減し、さらにはその装着状態を容易に観察できる医療介護用手袋を提供することにある。
【課題を解決するための手段】
【００１１】
上述した目的を達成するため、本発明は以下に示すいくつかの特徴を備えている。請求項１に記載の発明は、手首から先の部分が収納される手袋本体と、上記手袋本体内の手挿入用の開口部に一体的に設けられたリストバンドとを含む医療介護用手袋において、上記手袋本体は、掌側に配置される第１保形部材と、甲側に配置される第２保形部材とが対向的に配置されることにより、上記第１および第２保形部材の間に手が収納される空間が形成されており、上記第１保形部材および上記第２保形部材は、それらが対向する面が凹まされたほぼ同一のドーム状に形成されているとともに、形状保持性・衝撃吸収性を有する発泡体からなることにより、上記第１保形部材と上記第２保形部材との面間距離が一定の距離に保たれていることを特徴としている。
【００１２】
請求項２に記載の発明は、上記請求項１において、上記第１保形部材と上記第２保形部材の対向面には、櫛歯状の凸部が形成されており、上記第１保形部材側の凸部と、上記第２保形部材側の凸部とが互いに突き合わせられていることを特徴としている。
【００１３】
請求項３に記載の発明は、上記請求項１ないし２のいずれか１項において、上記第１保形部材と上記第２保形部材の面間距離が３０ｍｍ〜１２０ｍｍであることを特徴としている。
【００１４】
請求項４に記載の発明は、上記請求項１ないし３のいずれか１項において、上記第１保形部材および上記第２保形部材は、少なくとも２以上の性質の異なる材質を積層したものからなることを特徴としている。
【００１５】
請求項５に記載の発明は、上記請求項１ないし４のいずれか１項において、上記第１保形部材と上記第２保形部材との間には、上記手袋本体内の手の様子を観察するための視認部が設けられていることを特徴としている。
【００１６】
請求項６に記載の発明は、上記請求項５において、上記視認部は、通気性メッシュシートからなることを特徴としている。
【００１７】
請求項７に記載の発明は、上記請求項５または６において、上記手袋本体には、上記第１保形部材および上記第２保形部材の間隔を維持して、上記視認部から上記手袋本体の内部を確認できるようにするための保形手段が設けられていることを特徴としている。
【００１８】
請求項８に記載の発明は、上記請求項５，６または７において、上記視認部には、開閉手段が設けられていることを特徴としている。
【発明の効果】
【００１９】
請求項１に記載の発明によれば、掌側に第１保形部材、甲側に第２保形部材を設けて、それらを所定の間隔をもって配置したことにより、万が一、手袋が回転して上下が逆転しても、両面に保形部材が配置されているため、被装着者が手で物を掴むことを防止しつつ、空間内では手を自由に動かすことができる。
【００２０】
また、第１保形部材および第２保形部材はともに対称形状であり、それらが上下対称に配置されていることにより、製作コストを安くできるばかりでなく、いずれの向きでも患者に装着することができる。
【００２１】
さらに、第１保形部材および／または第２保形部材は、掌および／または甲に対向する面が凹まされたドーム状に形成されているとともに、それら面間距離が一定となるようにされているので、手とクッションとの間に一定の空間が確保されるため、圧迫感がなく、筋拘縮など患者に係る負担をより低減することができる。
【００２２】
さらにまた、第１および第２保形部材を衝撃吸収性を有する発泡体で構成したことにより、被装着者が暴れて自らの手や身体を傷つけたり、周囲に危害を加えることを防止することができる。
【００２３】
請求項２に記載の発明によれば、第１保形部材と第２保形部材の対向面に櫛歯状の凸部を設け、それらを互いに突き合わせたことにより、第１保形部材と第２保形部材との距離を一定に保ちつつ、空間の通気性を確保することができる。
【００２４】
請求項３に記載の発明によれば、第１保形部材と第２保形部材の面間距離が３０ｍｍ〜１２０ｍｍとしたことにより、被装着者が子供であっても、大柄な大人であっても、空間内で自在に手を動かすことができる。
【００２５】
請求項４に記載の発明によれば、第１保形部材および第２保形部材は、少なくとも２以上の性質の異なる材質を積層したものからなることにより、例えば内側（手側）を硬質な材質で形成し、外側を軟質な材質で形成することで、手で物を掴みにくく、かつ、保護性をより高めることができる。
【００２６】
請求項５および６に記載の発明によれば、第１保形部材と第２保形部材の間に内部を観察するための視認部を設けたことにより、手袋を外さずに手の様子を観察できるばかりでなく、通気性メッシュシートで構成することで、ムレや臭いなどの不快感を低減することができる。
【００２７】
請求項７に記載の発明によれば、第１保形部材と第２保形部材の間隔を常にある程度一定に維持する保形手段を備えていることにより、手の収納空間を確実に確保することができるばかりでなく、通気性および視認性も良好としておくことができる。
【００２８】
請求項８に記載の発明によれば、視認部の一部に開閉手段を設けて、手袋を装着した状態のまま、内部に収納されている手を直接観察できるため、視認部から直接患者の手を触診したり、スキンケアやマッサージ、さらには点滴などの医療行為を施すことができる。
【発明を実施するための最良の形態】
【００２９】
次に、本発明の実施形態について図面を参照しながら説明するが、本発明はこの限りではない。図１は、本発明の一実施形態に係る医療介護用手袋の（ａ）正面図および（ｂ）側面図であり、図２は、図１（ａ）のＡ−Ａ線断面図であり、図３は、リストバンドを抜き出した状態の正面図である。
【００３０】
図１（ａ）および（ｂ）に示すように、この医療介護用手袋１は、手首から指先にかけてを覆い隠すに十分な収容空間を備えた手袋本体２と、同手袋本体２から手の出し入れを規制するリストバンド３とを備えている。この例において、手袋本体２は、縦３０ｃｍ×横１７ｃｍのＭサイズである。
【００３１】
手袋本体２は、好ましくは抗菌防臭加工が施された合成樹脂繊維製の外布２１を有し、全体がミトン状に形成されている。この例において、外布２１は、防汚性、撥水性のある布材が好ましく用いられるが、患者の引っ掻き行為や切開行為などによって破れにくい強靱な素材（例えばポリアミド繊維など）から構成されていることがより好ましい。
【００３２】
手袋本体２の内部には、掌側（図２では左側）に第１保形部材５ａが、甲側（図２では右側）に第２保形部材５ｂがそれぞれ設けられている。第１保形部材５ａは、外布２１ａと図示しない内布との間に包まれるようにして設けられている。同様に、第２保形部材５ｂは、外布２１ｂと図示しない内布との間に包まれるようにして設けられている。
【００３３】
内布は、手に直接触れるため、低刺激であり、吸水・拡散作用によって通気性がよく、汚れを落としやすい材質の布材が用いられる。本発明において、外布および内布の材質などの仕様は、特に限定されない。
【００３４】
この実施形態において、第１保形部材５ａおよび第２保形部材５ｂはともに同一形状であり、それらが上下対称（図２では左右対称）に配置されている。以下においては、第１保形部材５ａのみについて説明し、第２保形部材５ｂについて同一または同一と見なされる箇所には、同じ参照符号を付し、その説明は省略する。
【００３５】
第１保形部材５ａは、形状保持性を備え、柔軟なクッション性を有する発泡材（この例では発泡スチレン）からなり、全体が手を覆い隠すように円盤状に形成されている。第１保形部材５ａは、掌に対向する面５１（第２保形部材５ｂでは甲に対向する面５１）が凹まされており、断面ドーム状に形成されている。
【００３６】
この例において、第１保形部材５ａは、柔軟な発泡スチレンから構成されているが、硬質発泡ウレタンや低反発発泡ウレタン、クッション性を有する繊維体などであってもよい。さらには、これらを組み合わせてもよいし、内部に保形用の芯材などを入れてもよく、仕様に応じて任意に変更可能である。
【００３７】
すなわち、第１および第２保形部材５ａ，５ｂの内側（手側）に硬質な発泡材を設け、外側に柔軟な発泡材を配置する２層構造とすることで、患者は手で物を掴みにくく、かつ、外側からの衝撃を効果的に吸収可能とすることができる。このような態様も本発明に含まれる。
【００３８】
図２に示すように、第１保形部５ａと第２保形部材５ｂの内周面は、円弧状に凹まされているが、その対向する面間距離ｄは、もっとも大きい場所で３０〜１２０ｍｍの大きさに設計されていることが好ましい。
【００３９】
これによれば、手の収納空間を子供が手を握ったときの拳の大きさから大柄の大人が拳を握った大きさの空間が第１保持部材５ａと第２保形部材５ｂとの間に形成されることにより、被装着者が空間内で自由に指や手を動かすことができ、ストレスを低減することができる。
【００４０】
第１保形部材５ａおよび第２保形部材５ｂの間には、介助者が手袋本体２の内部を観察するための視認部４が設けられている。視認部４は、帯状に裁断された通気性メッシュシートを第１および第２保形部材５ａ，５ｂの互いに対向する外周縁に沿って外布２１ａ、２１ｂの一部に縫着することにより形成されている。
【００４１】
視認部４は、リストバンド３の一方の付け根部から手袋本体２の外周面を通って他方の付け根部に至るまでのＣ字状に配置されている。視認部４の幅は、１０ｍｍ〜５０ｍｍであることが好ましい。
【００４２】
通気性メッシュシートは、１〜３ｍｍの網目状であり、撓んだり歪んだりしにくくするための保形処理が施されていることが好ましい。その保形処理の一例として、通気性メッシュシートの表面に樹脂コーティングを施すことにより、メッシュシートに適度な剛性を与えることができる。
【００４３】
なお、網目が１ｍｍより細かすぎると、通気性が低下してしまうため好ましくない。また、３ｍｍ以上であると、被装着者の指先が網目を絡めたりしてしまうため好ましくない。
【００４４】
これによれば、装着時においても、視認部４が適度な剛性を持って形状を維持することにより、第１および第２保形部材５ａ，５ｂの間隔をできるだけ一定に保つことができ、内部の手の様子を観察しやすいし、また通気性も常に確保されるため、患者への負担をできるだけ低減することができる。
【００４５】
この例において、保形処理は、メッシュシートの樹脂コーティングにより実施されるが、これ以外に、メッシュシートに沿って所定間隔で保形用の線材を一体的に縫い付けるなどしてもよい。
【００４６】
さらには、第１保形部材５ａと第２保形部材５ｂとを一体に形成して、第１保形部材５ａと第２保形部材５ｂとの間に通気性グリルを形成してもよい。これ以外に、通気性および視認性を確保しつつ、第１および第２保形部材５ａ，５ｂの間隔を一定に保つことができる構成であれば、仕様に応じて任意に適用できる。
【００４７】
さらに別の態様として、図４に示すように、第１および第２保形部材５ａ，５ｂの外周縁に沿って櫛歯状の凸部５２を所定間隔で形成しておき、これら凸部５２同士を互いに付き合わせてもよい。
【００４８】
これによれば、第１および第２保形部材５ａ，５ｂの距離を確実に一定に保つことができ、かつ、視認部４を塞ぐことがないため、通気性を確保することができる。このような態様も本発明に含まれる。
【００４９】
また、この例において、視認部４は通気性メッシュシートが用いられているが、通気性メッシュシートの一部にジップファスナーを一体的に縫い付けて、視認部４を外側から開閉できるようにしてもよい。このような態様も本発明に含まれる。
【００５０】
すなわち、視認部４の一部を開閉可能とすることにより、医療介護用手袋１を患者に取り付けた状態のままで、患者の手や爪のチェックやマッサージ、点滴や注射などの医療行為を行うことができる。開閉手段は視認部４に設けられることが好ましいが、これ以外の位置に設けられていてもよい。
【００５１】
図３を併せて参照して、リストバンド３は、一端が手袋本体２の開口部側に縫着され、他端が開口された筒状のリストバンド本体３１と、リストバンド本体３１に沿って巻回される締付ベルト３２と、締付ベルト３２を覆い隠すフラップ３３とを備えている。
【００５２】
リストバンド本体３１は、肌に対する負担を考慮して適度なクッション性を備えていることが好ましく、手首に対して適度な加圧感があり、手首に沿ってフィットしやすいように伸縮性を備えたものがより好ましい。さらには、リストバンド本体３１と手首との間に、クッションなどを配置して、より手首に対する負荷を低減するようにしてもよい。
【００５３】
締付ベルト３２は、非伸縮性の帯状テープからなり、一端がリストバンド本体３１に縫着され、他端（自由端）がリストバンド本体３１に縫い付けられたＤカン３４を通して折り返された状態で互いに重なり合うように巻き付けられるようになっている。
【００５４】
締付ベルト３２の両面には、ループ面ファスナ３２１とフック面ファスナ３２２とが設けられている。これによれば、Ｄカン３４を介して折り返された面同士のループ面ファスナ３２１とフック面ファスナ３２２とが係止することにより、締付ベルト３２がリストバンド本体３１に巻回された状態で固定される。
【００５５】
図３に示すように、フラップ３３は、締付ベルト３２を挟んで左右対称な矩形状の上フラップ３３１と下フラップ３３２とを備え、それらが締付ベルト３２の上に折り重なるように配置されている。
【００５６】
上フラップ３３１および下フラップ３３２には、それらを互いに折り重ねた状態で固定するためのフックボタン３５が設けられている。フックボタン３５は、上フラップ３３１に取り付けられる２個の上フックボタン３５１と、下フラップ３３２に取り付けられる２個の下フックボタン３５２とを有し、それらが上下フラップ３３１，３３２を折り重ねた状態で対向する位置に設けられている。
【００５７】
上フックボタン３５１および下フックボタン３５２は、互いに係着させることにより、係着状態を固定することができ、上フックボタンの中央に設けられた凸部３５３を押圧することによってのみ、その係着状態が解除されるワンタッチ式のフックボタンである。
【００５８】
この例において、上フラップ３３１および下フラップ３３２はフックボタン３５を介して互いに固定されるようになっているが、上フラップ３３１および下フラップ３３２が締付ベルト３２に折り重なるようにした状態で固定可能なものであれば、その仕様は特に限定されない。
【００５９】
次に、図１〜図３を参照して、この医療介護用手袋の使用手順の一例について説明する。まず、この医療介護用手袋を装着する前に締付ベルト３２の自由端をＤカン３４に挿通しておき、患者の手をリストバンド５１の開口部から手袋本体２内に収納する。
【００６０】
次に、締付ベルト３２の一端を持って軽く引っ張りながら、Ｄカン３４を介して折り返したのち、ループ面ファスナ３２１とフック面ファスナ３２２とを係着させる。これにより、締付ベルト３２がリストバンド５１の外周面に沿って巻回される。
【００６１】
最後に、締付ベルト３２の上に下フラップ３３２を折り重ね、その上に上フラップ３３１を折り重ねたのち、下フックボタン３５２の係止凸部に上フックボタン３５１の係止凹部（ともに図示せず）を嵌合することにより、締付ベルト３２が覆い隠された状態でフラップ３３が固定される。以上により、医療介護用手袋１の装着が完了する。
【００６２】
使用中は、介護者は視認部４を通して手の状態を観察することが容易にできるし、患者は視認部４を通して通気性が確保されているため、蒸れたりして不快になることが少ない。また、ムレによる臭いの発生も抑えることができる。
【００６３】
また、もし患者が暴れて腕を振り回して医療介護用手袋１が回転しても、手を挟んで両面にクッション５ａ，５ｂが配置されていることにより、手や周囲の人や物を傷つけずに済む。
【００６４】
この例において、医療介護用手袋１の内部は、単なるミトン手袋状に形成されているが、より患者への負担を考慮して、クッションに手の形状に合わせてフィットしやすいように湾曲凹凸などを設けてもよいし、患者がストレス解消用に握るための把持部を別途設けてもよい。
【００６５】
また、衛生性や使用者の体型を考慮して、各クッション５ａ，５ｂをサイズ毎に交換できるようにするため、クッション取出用のファスナなどを設けてもよく、上述した本発明の基本形態を備えていれば、それら各種変形例も本発明に含まれる。
【図面の簡単な説明】
【００６６】
【図１】本発明の一実施形態に係る医療介護用手袋の（ａ）正面図および（ｂ）側面図。
【図２】上記医療介護用手袋のＡ−Ａ線断面図。
【図３】リストバンドを展開した状態の正面図。
【図４】保形部材の変形例を示す模式図。
【符号の説明】
【００６７】
１  医療介護用手袋
２  手袋本体
３  リストバンド
３１  リストバンド本体
３２  締付ベルト
３３  フラップ
３４  Ｄカン
３５  フックボタン
４  視認部
５ａ  第１保形部材
５ｂ  第２保形部材
５１  凹部
【図１】
0004792450.tif 000002
【図２】
0004792450.tif 000003
【図３】
0004792450.tif 000004
【図４】
0004792450.tif 000005